(57)【要約】【課題】保持部材の端部及びボールの隙間を一定に保つことができる塗布容器を提供すること。【解決手段】塗布容器１は、内容物１００を貯留する容器本体２と、塗布部位で回転可能なボール４と、ボール４を回転可能に保持し、且つ、端部がボール４と所定の隙間を有して開口する凹部２３を有し、樹脂材料で成形された保持部材３と、凹部２３の端部の外周面と当接する円筒状の第１突出部４３を有し、保持部材３よりも高い硬度の樹脂材料で成形されたキャップ５と、を備える。【選択図】      図１
2018079967.tif 000002
【特許請求の範囲】
【請求項１】
内容物を貯留する容器本体と、
塗布部位で回転可能なボールと、
前記ボールを回転可能に保持し、且つ、端部が前記ボールと所定の隙間を有して開口する凹部を有し、樹脂材料で成形された保持部材と、
前記凹部の前記端部の外周面と当接する円筒状の第１突出部を有し、前記保持部材よりも高い硬度の樹脂材料で成形されたキャップと、
を備える塗布容器。
【請求項２】
前記キャップは、前記保持部材の外周縁に当接する凸部を有する、請求項１に記載の塗布容器。
【請求項３】
前記保持部材は、前記凹部に保持された前記ボールと対向して設けられた貫通孔と、前記貫通孔の周囲に設けられ、前記ボールを支持する支持部と、を有し、
前記キャップは、前記第１突出部よりも小径に構成され、前記ボールと当接する円筒状の第２突出部を有する、請求項１に記載の塗布容器。
【発明の詳細な説明】
【技術分野】
【０００１】
本発明は、液体状の内容物を付着させたボールにより塗布部位に内容物を塗布する塗布容器に関する。
【背景技術】
【０００２】
液体状の内容物をボールに付着させ、当該ボールを体の塗布部位で転がすことで、当該塗布部位に内容物を塗布することができる塗布容器が知られている（例えば、特許文献１参照）。塗布容器は、ボールの外径よりも小径な開口を端部に有するとともに、内部にボールを保持する凹部を有する保持部材を備える。
【０００３】
保持部材は、凹部によって、ボールの一部を当該端部の開口から外部に露出させるとともに、当該ボールを回転可能に保持する。また、塗布容器は、保持部材の端部とボールとの間に所定の隙間が生じるように設計される。
【０００４】
このため、ボールの表面に付着した内容物は、ボールが回転して保持部材の端部及びボールの隙間を通過すると、余剰量が保持部材の端部によって除去されて適量のみがボールの表面に残存する。これにより、塗布容器は、塗布部位に適量の内容物を塗布することができる。
【先行技術文献】
【特許文献】
【０００５】
【特許文献１】実用新案登録第３１２９９６１号公報
【発明の概要】
【発明が解決しようとする課題】
【０００６】
上述した塗布容器では、以下の問題があった。即ち、塗布容器の保持部材は、端部に設けられた開口の内径がボールの外径よりも小径に構成される。しかし、保持部材の凹部の形状は、ボールの外径よりも大径に構成されることから、凹部の端部の開口の内径が凹部の内部の内径よりも小径となる、所謂アンダーカット形状となる。このため、保持部材を射出成形で成形した後に、保持部材と金型とを分離する際に、開口の内径よりも大径の金型が開口を通過することから、保持部材の端部は金型により押し広げられる。
【０００７】
同様に、ボールの外径が保持部材の端部の開口の内径よりも大径であることから、成形した保持部材にボールを挿入する場合に、ボールにより保持部材の端部が押し広げられる。これらのことから、保持部材の製造時及び塗布容器の製造時に、保持部材の端部の寸法にバラツキが生じる虞がある。
【０００８】
保持部材の端部の寸法にバラツキが生じると、保持部材の端部及びボールの隙間にもバラツキが生じる。このため、塗布容器によって内容物の塗布量が異なり、適量の内容物を塗布することができない虞がある。
【０００９】
そこで本発明は、保持部材の端部及びボールの隙間を一定に保つことができる塗布容器を提供することを目的とする。
【課題を解決するための手段】
【００１０】
前記課題を解決し目的を達成するために、本発明の塗布容器は、次のように構成されている。
【００１１】
本発明の一態様として、塗布容器は、内容物を貯留する容器本体と、塗布部位を回転可能なボールと、前記ボールを回転可能に保持し、且つ、端部が前記ボールと所定の隙間を有して開口する凹部を有し、樹脂材料で成形された保持部材と、前記凹部の前記端部の外周面と当接する円筒状の第１突出部を有し、前記保持部材よりも高い硬度の樹脂材料で成形されたキャップと、を備える。
【発明の効果】
【００１２】
本発明によれば、保持部材の端部及びボールの隙間を一定に保つことができる塗布容器を提供することが可能となる。
【図面の簡単な説明】
【００１３】
【図１】本発明の一実施形態に係る塗布容器の構成を示す断面図。
【図２】同塗布容器の要部構成を拡大して示す断面図。
【発明を実施するための形態】
【００１４】
以下、本発明の一実施形態に係る塗布容器１の構成を、図１及び図２を用いて説明する。  
図１は本発明の一実施形態に係る塗布容器１の構成を示す断面図、図２は塗布容器１の保持部材３、ボール４及びキャップ５の構成を拡大して示す断面図である。
【００１５】
図１及び図２に示すように、塗布容器１は、容器本体２と、保持部材３と、ボール４と、キャップ５と、を備えている。塗布容器１は、容器本体２内に貯留された液体状の内容物１００をボール４に付着させて、ボール４を塗布対象の塗布部位上で転がすことで、当該塗布部位に内容物１００を塗布できる、所謂ロールオン容器である。
【００１６】
ここで、内容物１００は、化粧水、制汗剤、消臭剤、抗炎症剤、糊等である。また、塗布対象は、例えば、人体である。
【００１７】
容器本体２は、有底筒状、例えば、有底円筒状に構成されたボトル型の容器である。容器本体２は、その内部に内容物１００を貯留可能に形成されている。容器本体２は、ガラス、陶器又は樹脂材料等により構成されている。例えば、容器本体２は、ポリエチレン樹脂により構成される。
【００１８】
容器本体２は、その上端の一部が突出して開口する口部１１と、口部１１の外周面に一体に成形された雄螺子部１２と、口部１１の雄螺子部１２よりも先端側の外周面に一体に成形された環状の係合部１３と、を有する。口部１１は、雄螺子部１２が設けられる部位の外径が、係合部１３が設けられる部位の外径よりも大径に構成される。
【００１９】
保持部材３は、一端側に設けられた円筒状の取付部２１と、一端側に設けられ、取付部２１よりも小径の円筒状のシール部２２と、他端側に設けられた凹部２３と、を備えている。保持部材３は、取付部２１によって口部１１に取り付けられ、口部１１の開口を覆う。保持部材３は、樹脂材料により、取付部２１、シール部２２及び凹部２３が一体に成形される。例えば、保持部材３は、ポリエチレン樹脂により構成される。保持部材３は、金型を用いた射出成形により製造される。
【００２０】
取付部２１は、開口端の内周面に、口部１１の係合部１３と係合する被係合部２１ａを有する。被係合部２１ａは、係合部１３と、容器本体２から保持部材３が離間する方向で係合可能な突起である。取付部２１の外径は、凹部２３の外径よりも大径に構成され、取付部２１の凹部２３側の端面は、凹部２３よりも外方に張り出して構成される。換言すると、保持部材３は、外周縁として、取付部２１の凹部２３側に、保持部材３の軸方向で凹部２３よりも径方向に張り出した張出部が構成される。
【００２１】
シール部２２の外径は、口部１１の内径と同一径又は若干大径に構成される。シール部２２は、外周面が口部１１の内周面と当接することで、当該外周面と口部１１の内周面との間を密封する。
【００２２】
凹部２３は、容器本体２に収容された内容物１００をボール４に付着させるとともに、ボール４の一部を外部に露出させた状態で、ボール４を回転可能に保持する。具体的には、凹部２３は、一端が開口する、ボール４の外形状よりも大きく構成された窪みである。凹部２３のボール４と対向する部位の内径は、保持部材３の中心軸を中心とした一軸周りのボール４の外径よりも大径に構成された曲面状の内周面を有する。凹部２３の開口する一端の外周側の稜部は、例えば、曲面に構成される。
【００２３】
また、凹部２３は、底部の中心に設けられた貫通孔３１と、貫通孔３１の縁部に設けられ、ボール４の外径よりも小径に構成された円環状の支持部３２と、凹部２３の開口する端部に設けられた突起部３３と、を備えている。
【００２４】
貫通孔３１の内径は、ボール４の外径よりも小径に構成される。貫通孔３１は、凹部２３に保持されたボール４と対向する位置に設けられる。貫通孔３１は、容器本体２の内部と凹部２３に保持されたボール４との間の内容物１００の流路を構成する。
【００２５】
支持部３２は、容器本体２の底面が設置面と当接する状態で塗布容器１が置かれた、所謂正置状態において、ボール４を保持する。支持部３２のボール４と当接する部位の径は、ボール４の外径よりも小径に構成される。支持部３２は、ボール４と環状に接触する。支持部３２は、ボール４と当接する面が環状の曲面状に構成される。支持部３２は、キャップ５によりボール４が押圧されたときに、ボール４と密着することで、ボール４との間を密封する。
【００２６】
突起部３３は、凹部２３の開口する端部の内周面から保持部材３の中心軸に対して径方向に突出する。突起部３３の内径は、ボール４の外径よりも小径に構成される。また、突起部３３の内径は、凹部２３に保持されたボール４の径方向で対向する位置における、保持部材３の中心軸を中心とした一軸周りのボール４の外径、換言すると保持部材３の中心軸に直交するボール４の外径よりも若干大径に構成される。
【００２７】
ここで突起部３３の内径は、凹部２３に保持されたボール４の対向する位置において、突起部３３及びボール４の間に所望の隙間を形成可能な内径に設定される。また、所望の隙間とは、ボール４に付着した内容物１００の余剰量を突起部３３によって除去し、適量の内容物１００のみを外部に露出するボール４の表面に残存させることができる隙間である。
【００２８】
ボール４は、球状に構成される。ボール４は、樹脂材料により構成される。ボール４は、保持部材３よりも硬度が高い樹脂材料により構成される。ボール４は、例えば、ポリプロピレン樹脂により構成される。
【００２９】
キャップ５は、樹脂材料により構成される。キャップ５は、保持部材３よりも硬度が高い樹脂材料により構成される。キャップ５は、例えば、ポリプロピレン樹脂により構成される。
【００３０】
キャップ５は、有底円筒状に構成される。キャップ５の閉塞する端部は、半球状の外形状を有する。キャップ５は、容器本体２の口部１１、保持部材３及びボール４を覆う。キャップ５は、開口する端部側の内周面に一体に成形された雌螺子部４１と、内周面の雌螺子部４１よりもキャップ５の閉塞する端部側に一体に成形された凸部４２と、内周面の凸部４２よりもキャップ５の閉塞する端部側に一体に成形された第１突出部４３と、閉塞する端部の内面に一体に成形された第２突出部４４と、を備えている。
【００３１】
雌螺子部４１は、口部１１に設けられた雄螺子部１２と螺合可能に構成されている。
【００３２】
凸部４２は、キャップ５の内周面から環状に突出して構成される。凸部４２は、保持部材３の外周縁と当接する、具体的には取付部２１の凹部２３側の端面と当接する環状の端面を有する。凸部４２は、キャップ５の内周面であって、且つ、キャップ５の雌螺子部４１が容器本体２の雄螺子部１２に螺合し、キャップ５によって容器本体２の口部１１、保持部材３及びボール４を覆うときに、取付部２１と当接する位置に設けられる。
【００３３】
第１突出部４３は、円筒状に構成される。第１突出部４３は、先端側の内周面が環状の傾斜面又は曲面によって構成される。第１突出部４３は、凸部４２が保持部材３の外周縁と当接するときに、凹部２３の開口する一端側の外面に当接可能に構成される。第１突出部４３の内径は、ボール４と所定の隙間を有する内径を突起部３３が有するときの凹部２３の先端の外径と同一径に構成される。
【００３４】
即ち、凹部２３の先端の外径がボール４と突起部３３とが所定の隙間を構成する設計値に構成されているときに、当該隙間を維持可能に、第１突出部４３は、凹部２３の先端の外周面と当接する内径に構成される。また、第１突出部４３は、凹部２３の先端の外径がボール４と突起部３３とが所定の隙間よりも大きい隙間を構成するときに、当該隙間を減少させて当該隙間が所定の隙間となるように、凹部２３の先端を径方向に押圧可能に構成される。
【００３５】
第２突出部４４は、円筒状に構成される。第２突出部４４の内径は、ボール４の直径及び第１突出部４３の内径よりも小径に構成される。第２突出部４４は、凸部４２が保持部材３の外周縁と当接するときに、ボール４を支持部３２に向かって押圧可能な高さに構成される。
【００３６】
このように構成された塗布容器１によれば、キャップ５は保持部材３よりも高い硬度の材料で成形されるとともに、キャップ５の第１突出部４３は、ボール４と所定の隙間を構成する突起部３３が設けられた凹部２３の先端と当接する構成を有する。このため、塗布容器１は、キャップ５を容器本体２に固定したときに、キャップ５の第１突出部４３によって凹部２３の先端を径方向に押圧することができる。
【００３７】
即ち、塗布容器１は、突起部３３の内径が設計値である所定の内径よりも大径である場合であっても、第１突出部４３によって凹部２３の先端を押圧することで、突起部３３を所定の内径に保つことができる。これにより、金型の離型やボール４の挿入等の製造時に凹部２３が拡径する方向に力が加わることで生じる突起部３３の内径のバラツキを低減することができる。
【００３８】
また、突起部３３の内径のバラツキを低減できることから、凹部２３の突起部３３とボール４との隙間は、所定の隙間となる。このため、塗布容器１は、ボール４に付着する内容物１００の量を一定とすることが可能となり、内容物１００の供給量を一定とすることが可能となる。
【００３９】
また、キャップ５は、容器本体２に固定されると、凸部４２が保持部材３の取付部２１の主面の外周縁と、第１突出部４３が凹部２３の先端の外周面と、それぞれ当接する。また、キャップ５は、容器本体２に固定されると、ボール４を支持部３２に向かって押圧し、結果、ボール４は支持部３２に密着する。このため、塗布容器１は、これら３箇所で密封されることから、高い密封性を有する。これにより、塗布容器１は、内容物１００が外部へ漏れることを防止することが可能となる。同様に、塗布容器１は、凸部４２及び取付部２１の主面、並びに、第１突出部４３及び凹部２３の先端の外周面の密封により、外
部から塵や埃等が侵入し、当該塵や埃等がボール４に付着することを防止できる。
【００４０】
上述したように本発明の一実施形態に係る塗布容器１によれば、保持部材３の凹部２３の端部の内周面に設けられた突起部３３及びボール４の隙間を一定に保つことができる。
【００４１】
なお、本発明は上述した実施形態に限定されるものではない。例えば、第１突出部４３は、円環状の突起とする構成を説明したがこれに限定されず、第１突出部４３は、凸部４２と同様に、キャップ５の内周面から張り出す形状であってもよい。また、凸部４２は、環状に突出する構成を説明したがこれに限定されない。即ち、凸部４２は、保持部材３の周縁に当接することで、キャップ５の軸方向の移動を規制可能であれば、間欠的に複数が設けられる構成であってもよい。この他、本発明の要旨を逸脱しない範囲で種々変形実施可能である。
【符号の説明】
【００４２】
１…塗布容器、２…容器本体、３…保持部材、４…ボール、５…キャップ、１１…口部、１２…雄螺子部、１３…係合部、２１…取付部、２１ａ…被係合部、２２…シール部、２３…凹部、３１…貫通孔、３２…支持部、３３…突起部、４１…雌螺子部、４２…凸部、４３…第１突出部、４４…第２突出部、１００…内容物。
【図１】
2018079967.tif 000003
【図２】
2018079967.tif 000004